(57)【要約】【目的】必要な時に乾燥室を簡単に造形出来、短時間で洗濯物を痛めず乾燥し得る事とスペースの有効利用が出来るパネル開閉式乾燥室ユニットの提供を目的とする。【構成】パネル開閉式乾燥室ユニットのパネルを開閉引き開き可動状態にして、閉じた状態ではパネル４枚の厚みとなり、開いた状態ではパネル幅の四角形の乾燥室が造形出来るとともに該乾燥室空間内に乾燥用温風を吹き込み可能な温風発生装置が備えられていることを特徴とするパネル開閉式乾燥室ユニット。【選択図】図１
2004267718.tif 000002
【特許請求の範囲】
【請求項１】
固定パネル２に開閉パネルＡ３と開閉パネルＢ４と開閉パネルＣ５をそれぞれ蝶番で連結する事により、開閉式可動とし３枚のパネルを開き引き合わせる事により乾燥室空間が形成され、該パネル開閉式乾燥室ユニット１にな熱源ユニット１５を備え温風を吹き出し可能な天井兼熱風発生装置１４と設置安定用の水平基板２１を備えて、開閉パネルＡ３と開閉パネルＢ４と開閉パネルＣ５の上部と下部に温風漏れを防ぐ防風シート１３を備えて大量の洗濯物を短時間で生地を傷めることなく乾燥することを特徴とするパネル開閉式乾燥室ユニット１。
【請求項２】
前記パネル開閉式乾燥室ユニット１の固定パネル２は温風送風ダクトと固定パネル２を兼ねる為、固定パネル２の中に温風送風空洞９と温風吹き込み口１０と温風吹き出し口１１を施したことを特徴とするパネル開閉式乾燥室ユニット１。
【請求項３】
前記パネル開閉式乾燥室ユニット１の固定パネル２と開閉パネルＡ３と開閉パネルＢ４と開閉パネルＣ５の各パネルは難燃透明材で形成され乾燥室の中の様子を常時確認が出来ることを特徴とするパネル開閉式乾燥室ユニット１。
【発明の詳細な説明】
【０００１】
【発明の属する技術分野】
本発明は、乾燥室のパネルを開閉収納可能な乾燥室ユニットに係り、特にスペースの有効利用に関する
【０００２】
【従来の技術】
従来、大量の洗濯物乾燥は風呂場を乾燥室として利用するもの、大型乾燥機を使用する手段であったが風呂場の利用は乾燥に時間が掛かり乾燥中は入浴出来なく、大形乾燥機では専用の設置場所が必要でスペースの点に問題点があった。
【０００３】
【発明が解決しようとする課題】
本発明は上記従来の問題点に鑑み案出したものであって、大量又は大きな洗濯物を乾燥するには大型乾燥機が必要となり、一般家庭では設置スペースの確保が困難である。
【０００４】そこで図５で示す限られたスペースの有効利用出来るパネル開閉式乾燥室ユニット１の提供することを目的とする。
【０００５】
【課題を解決するための手段】
使用時、利便上に伴い簡単に開閉でき使用可能状態にするために、固定パネル２に開閉パネルＡ３と開閉パネルＢ４と開閉パネルＣ５をそれぞれ蝶番で連結する。
【０００６】
固定パネル２の上部に天井兼熱風発生装置１４を取り付け開閉パネルＡ３と開閉パネルＢ４と開閉パネルＣ５の上部と下部に温風漏れ防止の防風シート１３を施し乾燥効率の向上を計る。
【０００７】
又、設置場所の限定をひろげるために、固定パネル２の下部に水平基板２１設け水平調整材２２でパネル開閉式乾燥室ユニット１の水平を図る事で設置を容易となし得る、本発明の目的は上記した課題を解決した優れた図１に示すパネル開閉式乾燥室ユニット１を提供することにある。
【０００８】
【発明を解決するための手段】
上記目的を達成するために、本発明のパネル開閉式乾燥室ユニット１については組み立てをドライバー１本で簡単に行える様に各部をビス止め組み立て方式とし、水平基板２１，固定パネル２，天井兼熱風発生装置１４，開閉パネルＡ３，開閉パネルＢ４，開閉パネルＣ５のそれぞれにビス止め加工を施し組み立てを容易に行える手段を図る。
【０００９】
水平基板２１の接地面の四隅には水平調整材２２を設けパネル開閉式乾燥室ユニット１の設置時に水平調整が行える様にする事と乾燥室の中の様子を常時確認が行えるよう開閉パネルＡ３，開閉パネルＢ４，開閉パネルＣ５のパネル材は難燃性透明材料を使用する。
【００１０】開閉パネルＡ３，開閉パネルＢ４，開閉パネルＣ５の開閉が容易に行える手段として開閉パネルＡ３は二段階蝶番６，開閉パネルＢ４，開閉パネルＣ５は蝶番７にて固定パネル２にビス止め連結し、パネル開閉時の安定を計るパネル開閉補助車輪１２を取り付けて解決を案出し、開閉パネルＡ３には二段階蝶番６とパネル開閉補助車輪１２と防風シート１３とパネル固定磁石８が吸着出来るパネル固定磁石吸着板８Ａを設け開閉パネルＢ４には蝶番７とパネル固定磁石８とパネル開閉補助車輪１２と防風シート１３を設け開閉パネルＣ５には蝶番７とパネル開閉補助車輪１２と防風シート１３を設ける。
【００１１】
固定パネル２は水平基板２１上で自立し、固定パネル２の上部に天井兼熱風発生装置１４を乗せる為、天井兼熱風発生装置１４の重量に耐え得る構造にし、天井兼熱風発生装置１４の温風を送風する為の温風送風空洞９を固定パネル２の内部に施し固定パネル２の上部に温風吹き込み口１０と固定パネル２の下部には温風吹出し口１１を設ける。
【００１２】
天井兼熱風発生装置１４の熱源ユニット１５の熱発生源は電気，ガス，熱湯ほか熱媒等によるもので有り、温風循環ファン１６は給気，排気，循環を構造上において兼用する温風循環ファン１６とする又、物干し竿２７を設けた上記説明のパネル開閉式乾燥室ユニット１を特徴とするものである。
【００１３】
【発明の実施の形態】
以下、本発明の実施例について図面を参照して説明するが本発明はこの実施例の形態に限定されない。
【００１４】
図１に示される実施例では、上記したパネル開閉式乾燥室ユニット１斜視図でパネル開閉式乾燥室ユニット１の水平基板２１に固定パネル２をビス止め自立固定し固定パネル２の上部に天井兼熱風発生装置１４をビス止め組み付けし開閉パネルＡ３は二段階蝶番６でビス止めする，開閉パネルＢ４，開閉パネルＣ５は蝶番７にて固定パネルにビス止め連結し乾燥制御器２０を組み付けてパネル開閉式乾燥室ユニット１を形成し洗濯物２６を乾燥するが、大量の洗濯物や大きな洗濯物の生地を傷めることなく吊したまま短時間で乾燥するには温度と風量風速と換気の関係が重要と成るので排気口１７と給気口１８で換気のバランスを取り乾燥室内の風の流れも温風吹き出し口１１と集塵フィルター板１９でバランスを取り乾燥室内の全体に風の流れが起きるよう工夫したものである。
【００１５】
図２に示される実施例では、天井兼熱風発生装置１４を除いた平面図でパネル開閉式乾燥室ユニット１の開閉パネルＡ３と開閉パネルＢ４と開閉パネルＣ５を閉じた状態で、固定パネル２と開閉パネルＡ３と開閉パネルＢ４と開閉パネルＣ５の合計厚み寸法で収まっていて図５に示す様に設置スペースの７割以上が有効スペースとして活用する事が出来るものである。
【００１６】
図３に示される実施例では、天井兼熱風発生装置１４を取り付けた側面図で図２の平面図に対する側面図であり水平基板２１と水平調整材２２の厚みの高さは床面が上がるが図５に示す様に７割以上が有効スペースとして活用する事が出来るものである。
【００１７】
図４に示される実施例では、天井兼熱風発生装置１４を除いた平面図で、先ず開閉パネルＡ３を開閉パネルＡ全開状態３Ａの位置まで開き次に開閉パネルＣ５を９０°開き続いて開閉パネルＢ４を９０°開く、これで洗濯物２６を吊す状態になり、吊し終われば開閉パネルＡ全開状態３Ａを部屋が出来る様に開閉パネルＢ４と開閉パネルＡ３を付き合わせて開閉パネルＢ４のパネル固定磁石８で開閉パネルＡ３のパネル固定磁石吸着板８Ａに開閉パネルＡ３を磁石吸着固定し乾燥室が出来る、開閉パネルＡ３と開閉パネルＢ４と開閉パネルＣ５の上部と下部には防風シート１３を取り付けて温風漏れを防いでいて、開閉パネルＡ３と開閉パネルＢ４と開閉パネルＣ５の開閉支点の先端側にはパネル開閉補助車輪１２が設けてあり円滑な開閉ができるよう構成されている。
【００１８】
図５に示される実施例では、パネル開閉式乾燥室ユニット１のベランダ設置実施例側面図で図３の側面図をベランダ２３に設置した状態であり、人物２５が可動するに充分なスペースが取れている、晴れた日はパネル開閉式乾燥室ユニット１の開閉パネルＡ３と開閉パネルＢ４と開閉パネルＣ５を閉じて格納し天井兼熱風発生装置１４の下側に物干し竿を伸ばして自然乾燥出来る大変優れたパネル開閉式乾燥室ユニット１を提供するものである。
【００１９】
【発明の効果】
以上説明したように、本発明パネル開閉式乾燥室ユニット１は使用時に乾燥室を造形し不使用時には閉じて収納する事ができるので、住宅事情により従来の洗濯物乾燥機の設置は設置場所が狭く困難な場合に解決するものである。又、多人数の家庭や洗濯物が多く雨天続きで急ぎの洗濯物を乾燥が必要な時に威力を発揮し、洗濯物を吊り下げたままの状態で乾燥する事ができるため洗濯物の生地を傷めずシワの発生を軽減し、熱風発生装置からは良好の温風を吹き出し循環換気する事で良好の乾燥機能とスペースの有効利用を果たすことができる。
【図面の簡単な説明】
【図１】パネル開閉式乾燥室ユニットの実施例１の斜視図である。
【図２】パネル開閉式乾燥室ユニットの開閉格納時平面図である。
【図３】パネル開閉式乾燥室ユニットの開閉格納時側面図である。
【図４】パネル開閉式乾燥室ユニットの使用時平面図である。
【図５】パネル開閉式乾燥室ユニットのベランダ設置実施例２の図である。
【符号の説明】
１    パネル開閉式乾燥室ユニット
２    固定パネル
３    開閉パネルＡ
３Ａ  開閉パネルＡ全開状態
４    開閉パネルＢ
５    開閉パネルＣ
６    二段階蝶番
７    蝶番
８    パネル固定磁石
８Ａ  パネル固定磁石吸着板
９    温風送風空洞
１０    温風吹き込み口
１１    温風吹き出し口
１２    パネル開閉補助車輪
１３    防風シート
１４    天井兼熱風発生装置
１５    熱源ユニット
１６    温風循環ファン
１７    排気口
１８    給気口
１９    集塵フィルター板
２０    乾燥制御器
２１    水平基板
２２    水平調整材
２３    ベランダ
２４    手摺り
２５    人物
２６    洗濯物
２７    物干し竿
２８    階上ベランダ
２９    戸当たり
【図１】
2004267718.tif 000003
【図２】
2004267718.tif 000004
【図３】
2004267718.tif 000005
【図４】
2004267718.tif 000006
【図５】
2004267718.tif 000007